(57)【要約】【課題】使用者が特別な操作を行うことなく、通常のＸ線撮影ワークフローの中で無線接続を確立する。【解決手段】Ｘ線撮影システムであって、無線子機と無線子機と関連付けられた第一の識別情報通信部とを有するＸ線センサと、無線子機と無線接続する無線親機と、無線親機およびＸ線を照射するＸ線管球と関連付けられた第二の識別情報通信部と、第一または第二の識別情報通信部の一つと近接したことに応じて無線子機または無線親機の識別情報を受信して記憶し、他の一つと近接したことに応じて識別情報を送信する識別情報媒介部と、を備え、無線親機および無線子機は、識別情報に基づいて無線接続を確立する。【選択図】  図３
2014012120.tif 000002
【特許請求の範囲】
【請求項１】
無線子機と、前記無線子機と関連付けられた第一の識別情報通信手段とを有するＸ線センサと、
前記無線子機と無線接続する無線親機と、
前記無線親機およびＸ線を照射するＸ線管球と関連付けられた第二の識別情報通信手段と、
前記第一または第二の識別情報通信手段の一つと近接したことに応じて前記無線子機または前記無線親機の識別情報を受信して記憶し、他の一つと近接したことに応じて前記識別情報を送信する識別情報媒介手段と、を備え、
前記無線親機および前記無線子機は、前記識別情報に基づいて無線接続を確立することを特徴とするＸ線撮影システム。
【請求項２】
前記無線子機は、前記無線子機の識別情報を含めた無線接続要求を送信する接続要求送信手段を備え、
前記無線親機は、
前記無線子機から受信した前記識別情報と、前記識別情報媒介手段により媒介されて前記第二の識別情報通信手段を通じて取得した前記無線子機の識別情報と、を照合する照合手段と、
前記照合手段により照合が取れた場合、前記無線子機へ無線接続情報を送信する接続情報送信手段と、を備え、
前記無線親機および前記無線子機は、前記無線子機が前記無線親機から受信した前記無線接続情報を自機に設定することにより、無線接続を確立することを特徴とする請求項１に記載のＸ線撮影システム。
【請求項３】
前記無線子機は、前記識別情報媒介手段により媒介されて前記第一の識別情報通信手段を通じて取得した前記無線親機の識別情報を含めた無線接続要求を送信する接続要求送信手段を備え、
前記無線親機は、
前記無線親機の自身の識別情報と、前記無線子機から受信した前記無線親機の識別情報と、を照合する照合手段と、
前記照合手段により照合が取れた場合、前記無線子機へ無線接続情報を送信する接続情報送信手段と、を備え、
前記無線親機および前記無線子機は、前記無線子機が前記無線親機から受信した前記無線接続情報を自機に設定することにより、無線接続を確立することを特徴とする請求項１に記載のＸ線撮影システム。
【請求項４】
前記第二の識別情報通信手段は、前記Ｘ線管球の近傍に設けられることを特徴とする請求項１乃至３の何れか１項に記載のＸ線撮影システム。
【請求項５】
前記識別情報媒介手段は、操作者により装着又は所持されることを特徴とする請求項１乃至４の何れか１項に記載のＸ線撮影システム。
【請求項６】
前記識別情報媒介手段と、前記第一または第二の識別情報通信手段との通信には、近接無線通信が用いられることを特徴とする請求項１乃至５の何れか１項に記載のＸ線撮影システム。
【請求項７】
前記識別情報媒介手段と、前記第一または第二の識別情報通信手段との通信には、人体を通信経路とした接触型通信が用いられることを特徴とする請求項１乃至５の何れか１項に記載のＸ線撮影システム。
【請求項８】
前記識別情報は、前記無線子機または前記無線親機の装置種別を表す種別コードと装置に固有の暗証番号と含むことを特徴とする請求項１乃至７の何れか１項に記載のＸ線撮影システム。
【請求項９】
前記識別情報媒介手段は、現在記憶している識別情報に対して、前記種別コードが同一でありかつ前記暗証番号が異なる識別情報を受信した場合に、当該識別情報を更新することを特徴とする請求項８に記載のＸ線撮影システム。
【請求項１０】
第一の識別情報通信部を備えるＸ線撮影装置と、
携帯端末であって、前記第一の識別情報通信部及びＸ線発生部に関連付けられた第二の識別情報通信部と通信する通信部と、前記通信部による通信に応じて一組のＸ線撮影装置及び前記Ｘ線発生部とを選択する選択部と、を備える携帯端末と、
を備えることを特徴とするＸ線撮影システム。
【請求項１１】
無線通信手段と、前記無線通信手段と関連付けられた第一の識別情報通信手段とを備えるＸ線センサと、
前記無線子機と無線接続する無線親機と、Ｘ線を照射するＸ線管球とに関連付けられた第二の識別情報通信手段と、
前記無線親機および前記第一または第二の識別情報通信手段の一つと近接したことに応じて前記無線子機または前記無線親機の識別情報を受信して記憶し、他の一つと近接したことに応じて前記識別情報を送信する識別情報媒介手段と、を備え、
前記無線子機は、前記識別情報に基づいて無線接続を確立することを特徴とするＸ線撮影システム。
【請求項１２】
無線子機と前記無線子機と関連付けられた第一の識別情報通信手段とを有するＸ線センサと、前記無線子機と無線接続する無線親機と、前記無線親機およびＸ線を照射するＸ線管球と関連付けられた第二の識別情報通信手段と、識別情報媒介手段とを備えるＸ線撮影システムの制御方法であって、
前記識別情報媒介手段が、前記第一または第二の識別情報通信手段の一つと近接したことに応じて前記無線子機または前記無線親機の識別情報を受信して記憶し、他の一つと近接したことに応じて前記識別情報を送信する識別情報媒介工程と、
前記無線親機および前記無線子機が、前記識別情報に基づいて無線接続を確立する確立工程と、
を有することを特徴とするＸ線撮影システムの制御方法。
【請求項１３】
Ｘ線センサが備える無線子機と関連付けられた第一の識別情報通信手段、または、無線親機およびＸ線を照射するＸ線管球と関連付けられた第二の識別情報通信手段、のうちの一つと近接したことに応じて、前記無線子機または前記無線親機の識別情報を受信して記憶し、他の一つと近接したことに応じて前記識別情報を送信する識別情報媒介手段を備えることを特徴とする情報処理装置。
【請求項１４】
識別情報媒介手段を備える情報処理装置の制御方法であって、
前記識別情報媒介手段が、Ｘ線センサが備える無線子機と関連付けられた第一の識別情報通信手段、または、無線親機およびＸ線を照射するＸ線管球と関連付けられた第二の識別情報通信手段、のうちの一つと近接したことに応じて、前記無線子機または前記無線親機の識別情報を受信して記憶し、他の一つと近接したことに応じて前記識別情報を送信する識別情報媒介工程を有することを特徴とする情報処理装置の制御方法。
【請求項１５】
請求項１４に記載の情報処理装置の制御方法の工程をコンピュータに実行させるためのプログラム。
【発明の詳細な説明】
【技術分野】
【０００１】
本発明は、Ｘ線撮影システム、情報処理装置、それらの制御方法、およびプログラムに関し、特に、Ｘ線画像をＡ／Ｄ変換によってデジタル画像データとして取得し、当該デジタル画像データを無線通信によって伝送するＸ線撮影システム、情報処理装置、それらの制御方法、およびプログラムに関する。
【背景技術】
【０００２】
従来、Ｘ線が照射されたＸ線センサからＸ線画像データを取得してＡ／Ｄ変換によってデジタルＸ線画像データとし、このデジタルＸ線画像データに画像処理を施して診断に供するデジタルＸ線撮影装置が製品化されている。従来のデジタルＸ線撮影装置では、Ｘ線センサは架台や臥台に設置して使用するのが一般的であった。ところが、撮影手法によってはＸ線センサを固定せず、フリーポジションでの撮影が必要な場合もある。
【０００３】
特許文献１では、このような要求に対してＸ線センサを薄型かつ軽量にし、取り扱いを容易にした装置が開示されている。さらには、特許文献２では、Ｘ線センサと同期中継器との間を無線化し、Ｘ線センサのケーブルによる設置制限をなくした装置が開示されている。
【０００４】
高品位のＸ線画像を提供するために、Ｘ線センサの画素ピッチは１００〜２００μｍ程度であり、１６ｂｉｔの濃度分解能が用いられている。また、画像領域サイズを半切（４３×３５ｃｍ）とすると、１画像を構成するデータサイズはおおむね７．５〜３０ＭＢｙｔｅのデータサイズとなる。フリーポジションで撮影し、このサイズのＸ線画像データを取得してから数秒というスピードでＸ線画像をディスプレイ等に表示するためには、無線通信部にも相応の高速性が要求される。そこで、容易に高速性を実現するために、無線通信には電波方式が採用されている。
【０００５】
例えば通信方式に無線ＬＡＮ技術を採用した場合、装置間の無線接続を確立するためには、ＳＳＩＤ（Ｓｅｒｖｉｃｅ  Ｓｅｔ  Ｉｄｅｎｔｉｆｉｅｒ）、認証方式、暗号化種類、暗号鍵などを、接続する装置間で同一の設定とする必要がある。通常これらの設定は、無線接続を行う機器双方に手作業で設定するか、又はＷＰＳ（Ｗｉ−Ｆｉ  Ｐｒｏｔｅｃｔｅｄ  Ｓｅｔｕｐ）により規定されたプッシュボタン方式あるいは同じくＷＰＳにて規定されたＰＩＮコード方式などによって設定がなされる。
【０００６】
また、特許文献３では、当該設定を簡便に行う手法として、使用者が所持する装置と無線接続を確立したい装置とを接続、近接させたり、あるいは無線接続を確立したい装置の方向を指し示したりすることによって設定する手法が開示されている。
【先行技術文献】
【特許文献】
【０００７】
【特許文献１】特開２００３−１７２７８３号公報
【特許文献２】特許第３４９４６８３号公報
【特許文献３】特開２０００−２２４１５６号公報
【発明の概要】
【発明が解決しようとする課題】
【０００８】
しかしながら、手作業で設定する場合は、必ず入力作業を必要とし、また作業ミスによって接続確立できない可能性が排除できない。ＷＰＳのＰＩＮコード方式においても、ＰＩＮコードを出力する子機に対して、親機側に通常はキーボード等を用いてＰＩＮコードを入力する必要がある。またＷＰＳのプッシュボタン式や、特許文献３に開示された手法では、子機、親機の双方のボタンを同時に押す又は接触する、あるいは両装置を近接するなど、Ｘ線撮影装置としての通常のワークフローにはない特別な操作が必要となる。
【０００９】
上記の課題に鑑み、本発明は、使用者が特別な操作を行うことなく、通常のＸ線撮影ワークフローの中で無線接続を確立することを目的とする。
【課題を解決するための手段】
【００１０】
上記の目的を達成する本発明に係るＸ線撮影システムは、
無線子機と、前記無線子機と関連付けられた第一の識別情報通信手段とを有するＸ線センサと、
前記無線子機と無線接続する無線親機と、
前記無線親機およびＸ線を照射するＸ線管球と関連付けられた第二の識別情報通信手段と、
前記第一または第二の識別情報通信手段の一つと近接したことに応じて前記無線子機または前記無線親機の識別情報を受信して記憶し、他の一つと近接したことに応じて前記識別情報を送信する識別情報媒介手段と、を備え、
前記無線親機および前記無線子機は、前記識別情報に基づいて無線接続を確立することを特徴とする。
【発明の効果】
【００１１】
本発明によれば、使用者が特別な操作を行うことなく、通常のＸ線撮影ワークフローの中で無線接続を確立することができる。
【図面の簡単な説明】
【００１２】
【図１】本発明の実施形態に係るＸ線撮影システムの全体構成例を示す図。
【図２】第１実施形態に係るＸ線撮影システムが実行する工程の説明図。
【図３】第１実施形態に係るＸ線撮影システムが実行する処理のシーケンス図。
【図４】第２実施形態に係るＸ線撮影システムが実行する工程の説明図。
【図５】第２実施形態に係るＸ線撮影システムが実行する処理のシーケンス図。
【図６】第４実施形態に係る携帯端末の全体構成例を示す図。
【発明を実施するための形態】
【００１３】
以下、本発明の実施形態について図面を参照しながら説明する。
【００１４】
（第１実施形態）
図１は、本実施形態に係るＸ線撮影システム１００の全体構成例を示す図である。本実施形態のＸ線撮影システム１００は、Ｘ線センサ１と、Ｘ線管球４と、無線親機７と、第二の識別情報通信部８と、操作者１３が装着または所持する情報処理装置として機能する識別情報媒介部１４とを備えている。
【００１５】
図１において、Ｘ線センサ１は第一の識別情報通信部２と無線子機３とを内蔵しており、Ｘ線制御装置５の制御に従ってＸ線管球４（Ｘ線発生部）から照射されたＸ線を検知してデジタル画像データを生成する。Ｘ線インタフェース装置６は、Ｘ線制御装置５とスイッチングハブ９とを接続する。
【００１６】
無線子機３は、無線親機７とＩＥＥＥ８０２．１１等による無線通信を行う。無線親機７は、無線子機３と対向して電波方式により無線通信を実施するとともに、Ｘ線インタフェース装置６及び画像処理装置１０とＥｔｈｅｒｎｅｔ（登録商標）（登録商標）による通信を行う。スイッチングハブ９は、Ｅｔｈｅｒｎｅｔ（登録商標）によって接続される機器をスター型で接続する。画像処理装置１０は、パーソナルコンピュータ（ＰＣ）などであり、生成されたデジタル画像データに対して画像処理を行う。表示装置１１は、画像処理されたデジタルＸ線画像や操作画面を表示する。基幹ネットワーク１２は、画像処理装置１０を接続する病院内ネットワークなどである。
【００１７】
Ｘ線センサ１がＸ線画像を撮影するためには、Ｘ線センサ１の動作に同期してＸ線管球４からＸ線を照射する必要がある。このためにＸ線センサ１とＸ線制御装置５との間で通信によりＸ線同期信号を授受する。また、Ｘ線センサ１が撮影したＸ線画像を表示装置１１に表示するためには、画像処理装置１０との通信が必要となる。これらの通信は、すべて無線子機３と無線親機７とにおける無線通信によって実施する。
【００１８】
無線子機３と無線親機７との無線通信を確立するためには、無線ネットワークの識別子となるＳＳＩＤ、通信の秘匿化のための暗号鍵等を無線子機３及び無線親機７の双方に設定する必要がある。
【００１９】
本実施形態における無線通信確立の工程の一例を図２に示し、具体的な処理の手順を図３に示す。ここではＸ線撮影時の一般的な操作者ワークフローとして、Ｘ線センサ１を患者に対して配置し、続いてＸ線管球４をＸ線センサ１の受像面に合わせて配置する操作を仮定する。
【００２０】
操作者１３の操作に先だって、無線子機３から第一の識別情報通信部２に無線子機３の識別情報が送信される。ここで識別情報は装置種別（無線子機）を表すコードに無線子機３に固有の暗証番号を付加したものである。第一の識別情報通信部２は無線子機３から受信した識別情報を保持する。
【００２１】
同じく無線親機７から第二の識別情報通信部８に無線親機７の識別情報を送信してもよいが、ここでは操作者１３がＸ線センサ１を先に操作し、次にＸ線管球４を操作することを想定しているため、必須ではない。現実的には、操作者１３がＸ線センサ１とＸ線管球４との何れを先に操作するかはわからない。すなわち操作順は事前に決められないため、逆の順序で操作された場合を想定して実施しておくことがより望ましい。
【００２２】
図２の「工程１」のように、操作者１３が患者の撮影部位に配置するためＸ線センサ１を保持すると（図３のＦ３０１）、Ｘ線センサ１内の第一の識別情報通信部２から操作者１３が身に付けた識別情報媒介部１４に無線子機３の識別情報が送信される（Ｆ３０２）。第一の識別情報通信部２と識別情報媒介部１４との通信は、操作者１３がＸ線センサ１を保持することによって実施され、他の操作は要求しない。このため、通信媒体としては極限られた距離でのみ通信が可能な近接無線通信、例えば非接触ＩＣカードやＴｒａｎｓｆｅｒＪｅｔ（商標）、ＢｌｕｅＴｏｏｔｈ（登録商標）、ＺｉｇＢｅｅ（登録商標）、赤外線データ通信などがあげられる。
【００２３】
また、人体に変調された微弱な電流を流すことで人体を通信経路に利用する人体接触型通信技術が近年開発され実用化されつつある。本実施形態においては、Ｘ線センサ１やＸ線管球４に操作者１３が触れることを識別情報伝送のきっかけとするため好適な通信技術である。
【００２４】
本実施形態では、操作者１３がＸ線センサ１やＸ線管球４に近接又は接触する際に識別情報の授受を行う必要がある。このため識別情報媒介部１４は操作者１３が身に付けている。操作者１３の作業性や、近接無線通信の通信可能圏内に確実に入るようにするため、本実施形態においてはリストバンド形状の識別情報媒介部１４を想定している。
【００２５】
次に図２の「工程２」のように、操作者１３がＸ線センサ１の受像面に合わせてＸ線管球４を配置すると（Ｆ３０３）、操作者１３が身に付けた識別情報媒介部１４からＸ線管球４近傍に配置された第二の識別情報通信部８へ識別情報が送信される（Ｆ３０４）。ここでも識別情報媒介部１４と第二の識別情報通信部８との通信は、操作者１３がＸ線管球４に近接する又は触れることによって実施され、他の操作は要求しない。第二の識別情報通信部８は、受信した識別情報を無線親機７に転送する（Ｆ３０５）。
【００２６】
そして図２の「工程３」のように、Ｘ線センサ１内の無線子機３は、識別情報媒介部１４に送信した情報と同じ識別情報を付加して無線接続情報を要求する（Ｓ３０６、接続要求送信処理）。この時点では無線子機３は無線親機７の存在を確認できないため、要求はブロードキャストで行われる。また、識別情報媒介部１４を介した識別情報通信（Ｆ３０２）の後に本工程を示したが、実際は無線子機の起動直後に実施してもよい。
【００２７】
さらに図２の「工程４」のように、無線接続情報の要求を受信した無線親機７は、同要求に付加された識別情報と第二の識別情報通信部８より受信して取得した識別情報との照合を行う（Ｆ３０７）。両識別情報が一致した場合、送信元の無線子機３に対して無線接続情報を送信する（Ｆ３０８、接続情報送信処理）。ここで送信される無線接続情報は、無線親機７と無線子機３とで同一設定が必要となるＳＳＩＤ、認証方式、暗号化種類、暗号鍵などの情報である。一方、照合の結果、両識別情報が一致しない場合は無線接続情報の送信は行われない。無線子機３は、無線親機７から無線接続情報を受信すると、受信した無線接続情報を自機に設定する（Ｆ３０９）。
【００２８】
この結果、図２の「工程５」のように、無線子機３と無線親機７の無線通信が確立され、これ以降、Ｘ線センサ１とＸ線制御装置５とのＸ線同期信号の授受や、Ｘ線センサ１と画像処理装置１０との動作制御信号や画像データの送受信が可能となりＸ線撮影システムとして機能するようになる（Ｆ３１０）。
【００２９】
以上説明したように、本実施形態によれば、操作者は無線通信確立に関して何ら特別な操作を行うことなく、通常のＸ線撮影のためのワークフローを実施するだけで無線通信を確立することができる。
【００３０】
（第２実施形態）
第１実施形態では、先にＸ線センサ１を操作し、続いてＸ線管球４を操作した場合について説明した。これに対して、本実施形態では、第１実施形態での操作者のワークフローとは逆に、操作者１３が、Ｘ線管球４を先に操作し、続いてＸ線センサ１を操作した場合について説明する。なお、Ｘ線撮影システムの構成は第１実施形態と同様であるため、説明を省略する。
【００３１】
以下、本実施形態における無線通信確立の工程の一例を図４に示し、具体的な処理の手順を図５に示す。
【００３２】
操作者１３の操作に先だって、無線親機７から第二の識別情報通信部８に無線親機７の識別情報が送信される。ここで識別情報は装置種別（無線親機）を表すコードに無線親機７に固有の暗証番号を付加したものである。第二の識別情報通信部８は無線親機７から受信した識別情報を保持する。
【００３３】
同じく無線子機３から第一の識別情報通信部２に無線子機３の識別情報を送信してもよいが、ここでは操作者１３がＸ線管球４を先に操作し、次にＸ線センサ１を操作することを想定しているため、必須ではない。現実的には、操作者１３がＸ線センサ１とＸ線管球４との何れを先に操作するかはわからない。すなわち操作順は事前に決められないため、逆の場合で操作された場合を想定して実施しておくことがより望ましい。
【００３４】
図４の「工程１」のように、操作者１３がＸ線管球４を操作すると（図５のＦ５０１）、Ｘ線管球４近傍に配置された第二の識別情報通信部８から操作者１３が身に付けた識別情報媒介部１４へ識別情報が送信される（Ｆ５０２）。第二の識別情報通信部８と識別情報媒介部１４の通信は、操作者１３がＸ線管球４を操作することによって実施され、他の操作は要求しない。
【００３５】
次に図４の「工程２」のように、操作者１３がＸ線センサ１を保持すると（Ｆ５０３）、操作者１３が身に付けた識別情報媒介部１４からＸ線センサ１内の第一の識別情報通信部２へ識別情報が送信される（Ｆ５０４）。ここでも識別情報媒介部１４と第一の識別情報通信部２との通信は、操作者１３がＸ線センサ１を保持することによって実施され、他の操作は要求しない。第一の識別情報通信部２は受信した識別情報を無線子機３に転送する（Ｆ５０５）。
【００３６】
以降の図４の「工程３」〜「工程５」では、識別情報が無線親機７の識別情報である違いのほかは、操作者１３がＸ線センサ１を先に操作し、次にＸ線管球４を操作した場合と同じ手順を実施する（Ｆ５０６〜Ｆ５１０）。ここでは、無線親機７は、自身の識別情報と、Ｆ５０６の無線接続要求送信処理に従って無線子機から受信して取得した無線親機７の識別情報と、を照合することになる（Ｆ５０７）。
【００３７】
以上説明したように、本実施形態によれば、操作者は無線通信確立に関して何ら特別な操作を行うことなく、通常のＸ線撮影のためのワークフローを実施するだけで無線通信を確立することができる。
【００３８】
（第３実施形態）
第３実施形態では、第１実施形態および第２実施形態の各ケースにおいて、Ｘ線管球４とその近傍に配置された第二の識別情報通信部８及び無線親機７のセットが複数存在する場合を想定する。簡単のため、ここではそれぞれＸ線管球４、第二の識別情報通信部８、及び無線親機７のセットと、Ｘ線管球４’、第二の識別情報通信部８’、及び無線親機７’のセットとが存在するものとする。第１実施形態のように、操作者１３がＸ線センサ１を先に操作し、次にＸ線管球４を操作した結果、現在は無線親機７と無線通信が確立している状態にあるものとする。このとき、操作者１３の所持する識別情報媒介部１４には、図２の「工程１」で受信した無線子機３の識別情報が記憶されている。この状態から、操作者１３がもう一方のＸ線管球４’を操作した場合、Ｘ線管球４’と第二の識別情報通信部８’及び無線親機７’との接続を行うべく、図２の「工程２」以降を実施すればよい。すなわち、識別情報媒介部１４に現在記憶されている情報の更新は不要である。一方、第２実施形態のように、操作者１３がＸ線管球４を先に操作し、次にＸ線センサ１を操作した結果、現在は無線親機７と無線通信が確立している状態にあるものとする。このとき、操作者１３の所持する識別情報媒介部１４には、図４の「工程１」で受信した無線親機７の識別情報が記憶されている。この状態から、操作者１３がもう一方のＸ線管球４’を操作した場合、Ｘ線管球４’と第二の識別情報通信部８’及び無線親機７’との接続を行うべく、図４の「工程１」から実施が必要である。すなわち、識別情報媒介部１４の情報更新が必要である。
【００３９】
さらにここで、Ｘ線センサ１が複数存在する場合を想定する。簡単のため、ここでは２台のＸ線センサ１と、Ｘ線センサ１’とが存在するものとする。
【００４０】
第１実施形態のように、操作者１３がＸ線センサ１を先に操作し、次にＸ線管球４を操作した結果、現在は無線親機７と無線通信が確立している状態にあるものとする。このとき、操作者１３の所持する識別情報媒介部１４には、図２の「工程１」で受信した無線子機３の識別情報が記憶されている。この状態から、操作者１３がもう一方のＸ線センサ１’を保持した場合、無線子機３’を無線親機７に接続すべく図２の「工程１」から実行すればよい。すなわち、識別情報媒介部１４の情報更新が必要である。
【００４１】
一方、第２実施形態のように、操作者１３がＸ線管球４を先に操作し、次にＸ線センサ１を操作した結果、現在は無線親機７と無線接続が確立している状態にあるものとする。このとき、操作者１３の所持する識別情報媒介部１４には、図４の「工程１」で受信した無線親機７の識別情報が記憶されている。この状態から、操作者１３がもう一方のＸ線センサ１’を保持した場合、無線子機３’を無線親機７に接続すべく、図４の「工程２」から実施すればよい。すなわち、識別情報媒介部１４に現在記憶されている情報の更新は不要である。
【００４２】
以上説明したように、現在識別情報媒介部１４に記憶されている情報が無線親機７の識別情報の場合、次に操作されたのが（無線親機７’と関連付けられている）他のＸ線管球４’の場合にのみ、識別情報の更新が必要となる。同様に、識別情報媒介部１４に記憶されている情報が無線子機３の識別情報の場合、次に操作されたのが（無線子機３’と関連付けられている）他のＸ線センサ１’の場合にのみ、識別情報の更新が必要となる。
【００４３】
すなわち、現在識別情報媒介部１４に記憶されている識別情報の装置種別コードが同一で、かつ識別固有の暗証番号が異なる場合のみ、識別情報媒介部１４に記憶されている識別情報を更新することで、複数の無線親機（Ｘ線管球）及び複数の無線子機（Ｘ線センサ）を有するＸ線撮影システムにおいても、問題なく無線通信の確立を行うことができる。
【００４４】
（第４実施形態）
図６を参照して識別情報媒介部１４の第４実施形態を説明する。上述の実施形態では携帯端末（識別情報媒介部）１４はリストバンド型の端末が用いられているが、これに限らず、通信回路６１と、バッテリ６２とメモリ６３と表示部６４とタッチパネル式等の操作部６５とこれらを統合的に制御する制御回路６６とを有する携帯端末６０が用いられることとしてもよい。制御回路６６は、バッテリ６２の情報並びにメモリ６３、通信回路６１及び操作部６５から取得した情報を入力として、これを演算し、通信回路６１、バッテリ６２、メモリ６３、表示部６４、操作部６５に対する出力や各種制御を実行するものである。制御回路６６は例えばＣＰＵとワークメモリとＣＰＵに対して後述する機能を実現するためのプログラムを記憶するメモリとを有し、プログラムに含まれる命令をＣＰＵで逐次または並列に実行することで入力、演算、出力、制御を実行することにより実現される。あるいは上述のプログラムをハードウェア記述言語により記述し、これをコンフィギュレーションデータとしてＦＰＧＡで実装することにより実現される。通信回路６１はＮＦＣ（Ｎｅａｒ  Ｆｉｅｌｄ  Ｃｏｍｍｕｎｉｃａｔｉｏｎ）や赤外線等の近接無線通信が可能な近接無線通信回路６１１を有し、同じくＮＦＣの通信回路を有するＸ線センサ１と、Ｘ線制御装置５とを有するＸ線撮影システムで用いられる。使用時にはこの携帯端末をＸ線センサ１とＸ線制御装置５のそれぞれに近づけることで、携帯端末６０によりＸ線センサ１の識別情報とＸ線制御装置５の識別情報とを媒介することができる。この処理については、上述の実施形態と同様である。これにより、上述の携帯端末を用いてＸ線センサ１とＸ線制御装置５とを関連付けることが可能となる。
【００４５】
これに加えて、例えば携帯端末６０に例えば無線ＬＡＮ等のＸ線センサ１とＸ線制御装置５との通信に用いる通信プロトコルでの通信が可能な無線通信回路６０２を更に設け、Ｘ線センサ１と、Ｘ線制御装置５と、携帯端末６０とで互いに通信するネットワークを構築する。例えば、Ｘ線センサ１の無線通信回路、Ｘ線制御装置５に接続した無線通信回路、携帯端末の無線通信回路６０２のそれぞれがＷｉｆｉ  Ｄｉｒｅｃｔの規格に対応した実装であるものとする。携帯端末６０をグループオーナとしてＸ線センサ１との通信を確立し、携帯端末６０とＸ線センサ１との間のネットワークが構築される。次に携帯端末６０がＸ線制御装置５をネットワークに招待することで、携帯端末６０をグループオーナとしたネットワークを介してＸ線センサ１とＸ線制御装置５との通信が実現される。ここで、例えばＷｉｆｉ  ＤｉｒｅｃｔのＩｎｖｉｔａｔｉｏｎユースケースに沿ってＸ線センサ１とＸ線制御装置５とが直接通信することとすれば、Ｘ線センサ１とＸ線制御装置５とは撮影の際の同期をより確実な通信が行うことができ、より確実に放射線撮影を実行することができる。
【００４６】
この点で、例えばＸ線センサ１をグループオーナとすることや、Ｘ線制御装置５側の通信回路をグループオーナとすることも考えられる。たとえば、Ｘ線センサ１に最初に携帯端末６０でタッチし、Ｘ線制御装置５に次にタッチする場合にはＸ線センサ１をグループオーナとし、Ｘ線制御装置５に最初にタッチする場合にはＸ線制御装置５側の通信回路をグループオーナとする。こうすることで、Ｘ線センサ１とＸ線制御装置５の直接通信が実現されることとなる。なおここでタッチとは、一方と他方を近づけるまたは接触させることをいい、人体通信の場合には文字通り接触を指し、上述のように近接無線通信プロトコルを用いる場合には通信可能な距離まで近づけることをいう。
【００４７】
携帯端末６０にＮＦＣと無線ＬＡＮの両方の無線通信回路が設けられていることにより、例えばＮＦＣと無線ＬＡＮの両方を有するＸ線センサ１及びＸ線制御装置５と通信を確立する場合にはいずれの方法を用いても通信の確立が可能となり、利用状況に応じ使い分けられるため使い勝手が良い。仮にＸ線センサ１の無線通信回路がＮＦＣまたは無線ＬＡＮの一方しか対応していない場合であっても、当該一方のプロトコルに基づいて通信を確立することができるため有用である。
【００４８】
また、携帯端末６０の制御回路６６及び表示部６４を画像処理装置１０及び表示装置１１として用いることができる。Ｘ線センサ１によって取得されたＸ線画像データをネットワークあるいはＮＦＣを介して携帯端末６０で受信し、携帯端末６０の表示部６４に表示させることで、撮影された画像をすばやく確認することができる。携帯端末６０の操作部６５を介して画像が写損であるか否かの判断入力を行い、表示部６４は写損であることを示す表示を画像上に表示する。操作部６５を介して再撮影の指示が入力されると、撮影済みの画像と同一の撮影条件による撮影が再度実行される。通信回路６１を用いて取得した画像をＰＡＣＳへ送信する。あるいは通信回路６１によりＲＩＳから撮影オーダを受信し、表示部６４でこの撮影オーダをリスト表示する。操作部６５を介して撮影オーダの１を選択することにより、該撮影オーダに対応した１または複数の撮影条件が表示される。更にこれを操作部６５の操作入力を介してあるいは自動的に選択することにより、通信回路は撮影条件に対応付けられたＸ線センサ１の蓄積時間の情報をＸ線センサ１に送信し、管電圧あるいは管電流等のＸ線照射条件の情報をＸ線制御装置５に送信する。あるいは通信回路はＸ線制御装置５から実際に照射されたＸ線の照射条件を受信する。このようにすることで例えば院内で放射線撮影の担当者１人１人あるいは複数人に１つ割り当てられた携帯端末を用いることでＸ線センサ１とＸ線制御装置５のとのペアリング処理と、画像の確認処理、ＲＩＳからのオーダ受信、ＰＡＣＳへのデータ送信等、一通りのＸ線撮影を実行することができる。このうち、例えば携帯端末の制御回路の処理能力や表示部の表示領域の大きさその他の状況に応じて上述の機能のうち一部を省略し、あるいは別の機能を追加する事も可能である。このように携帯端末は、第一の識別情報通信部及びＸ線発生部に関連付けられた第二の識別情報通信部と通信し、当該通信に応じて一組のＸ線撮影装置及びＸ線発生部とを選択部により選択する。
【００４９】
例えば、Ｘ線制御装置５に無線通信の回路や無線通信を行うためのインタフェースが実装されていない場合が考えられる。その場合には、Ｘ線センサ１と携帯端末との通信確立のみが行われ、Ｘ線制御装置５とのペアリングやＸ線制御装置５との通信機能は不要あるいは使用されないこととなる。この場合例えばＸ線センサ１に設けられたＸ線の照射開始を検知する検知回路を設けＸ線管球４からのＸ線照射を検知してＸ線センサ１が蓄積状態へと移行し、放射線画像データを得ることとなる。
【００５０】
加えて、携帯端末を用いてＸ線センサ１と画像処理装置１０との通信確立を行うことも可能である。上述の通り携帯端末が画像処理装置１０及び表示装置１１の機能を兼ねる場合には上述の通り通信確立が行われる。それ以外の場合では、画像処理装置１０にもＮＦＣ等の近距離無線通信の通信回路を接続しておき、携帯端末により順次タッチすることにより通信が確立されることとなる。
【００５１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014012120.tif 000003
【図２】
2014012120.tif 000004
【図３】
2014012120.tif 000005
【図４】
2014012120.tif 000006
【図５】
2014012120.tif 000007
【図６】
2014012120.tif 000008